(57)【要約】      （修正有）【課題】フィルタユニットへの切替を１つの切替弁で制御し、小容量の電気ヒーターで焼却、運転中でも連続して円滑に再生できる耐熱性に優れた回転式の切替弁を提供する。【解決手段】１つのフィルタを３つ以上に分割して複数のフィルタユニットを構成し、該フィルタユニットに捕集堆積した粒子状物質（ＰＭ）を順次焼却して再生する。切替弁Ｇの弁体１１は、基板７の央部に設けられた冠台型カム１５と回転可能に組合わせられる鋸歯状カム１６を備えた弁盤１３に設けられる。基板７には複数のフィルタユニットと対応する同数の通孔９が設けられ、そしてこの鋸歯状カム１６の突起１７は、前記冠台型カム１５の凹凸に倣って回転軸の方向に移動、該突起１７が冠台型カム１５の凹２１に当接したときに前記通孔９の１つが弁体１１によって閉塞される。この閉塞されたフィルタユニットを通電加熱して粒子状物質（ＰＭ）を焼却することでフィルタユニットを再生する。【選択図】  図２
2004270690.tif 000002
【特許請求の範囲】
【請求項１】
管流路に設けられた切替弁Gの弁体１１は、３個以上の通孔９を有する基板７の軸心１０に対して回転可能な弁盤１３の少なくとも１カ所に設けられ、そして該弁盤１３の央部に下向きに設けられた鋸歯状カム１６の突起１７が、前記突起１７に対応して基板７の央部に上向きに設けられた冠台型カム１５に当接、前記突起１７が冠台型カム１５の凹２１、凸２２に沿って摺接回転しながら軸方向に移動することで、前記弁盤１３と弁体１１を軸方向に移動せしめ、基板７に設けられた分岐通路への通孔９を開閉せしめることを特徴とする切替弁。
【請求項２】
ディーゼルエンジン排ガスの排気流路に、粒子状物質を捕集する１個のフィルタが複数に分割され、且つ分割された各フィルタの間に断熱材を介在せしめて複数のフィルタユニットを構成、或いは複数のフィルタに断熱材を挟んで複数のフィルタユニットとなし、そしてこれらのフィルタユニットを並列に束ねて１個のフィルタを構成、又は複数の分岐したフィルタユニットを並列に設けた排ガスの粒子状物質除去装置において、
必要に応じて該フィルタユニットを再生する加熱手段を設け、且つ前記排ガスの排気流路に、請求項１に記載の切替弁Gを設けることにより、複数のフィルタユニットへの通路を逐次開閉できるようにしたことを特徴とする請求項１に記載の粒子状物質除去装置。
【発明の詳細な説明】
【技術分野】
【０００１】
この発明は、内燃機関、主としてディーゼルエンジンを搭載した車から排出される排ガスの流路を切替え或いは開閉を行なう切替弁と、それを用いた排気ガスの粒子状物質除去装置に関するものである。
詳しくはディーゼル車から排出される排ガス中の炭素微粒子から成る粒子状物質（パティキュレート＝ＰＭ）を、並列に設けられた複数のフィルタユニット、又は１つのフィルタを等分に分割して構成された複数のフィルタユニットで捕集、そして夫々のフィルタユニットを逐次加熱することで該フィルタユニットに捕集堆積された粒子状物質を、焼却する連続再生式のディーゼルエンジン等排ガスの粒子状物質除去装置（ディーゼルパティキュレートフィルタ＝ＤＰＦ）を提供する切替弁に関するものである。
【背景技術】
【０００２】
従来からトラックやバス等、ディーゼル車から排出される大量の粒子状物質即ち炭素微粒子（ＰＭ）から生じる公害が問題視され、その対策が講じられている。
その代表的な粒子状物質除去フィルタ（ＤＰＦ）として、図８に示すように交互に目封じされた貫通孔が手方向に多数併設され、該貫通孔の隔壁がフィルタとなるハニカム構造体で、貫通孔の夫々が独立した流路を構成するウォールフローハニカムがある。
粒子状物質（ＰＭ）はこのハニカム構造の隔壁の内側に濾過されて残される。（図中、黒い矢印は含ＰＭ排ガス。白い矢印は脱ＰＭ排ガスである）
【０００３】
然してこのウォールフローハニカムは、フィルタの隔壁（濾壁）が常に粒子状物質を濾過することで目詰まりするようになっているので、大量の粒子状物質がフィルタへ堆積してエンジン出力が低下、更にはエンジンが停止する以前に、フィルタに目詰りした粒子状物質を焼却などして除去し、濾過機能を再生しなければならない。
【０００４】
そしてこの再生には特開２００２−８９２３５号に開示されている所謂パッチ式がある。このものはフィルタが規定の目詰り域に達したことを信号で知ると、適当な場所でエンジンを止めてフィルタを取り出し別のフィルタを入れ替える。
目詰りしたフィルタは別途、他の設備で焼却再生する。
然して走行中にフィルタが粒子状物質で目詰り域を越して走行不能になると、処理すべき排ガスをバイパスで逃すか、リリーフ弁で大気中へ放出されることになる。即ちこれが継続すれば排ガスの粒子状物質が垂れ流し状態になる。
【０００５】
従ってできれば走行中など、即ちエンジンが稼動中であっても連続してフィルタの再生がなされることが望ましい。
【０００６】
この運転中でも連続してフィルタを再生することができるディーゼルエンジン排ガスの粒子状物質除去装置には、触媒酸化方式と、フィルタ方式（フィルタで濾過する）があるが、フィルタ方式で最も一般的な排ガスの連続再生式粒子状物質除去装置は、図７に示すようにＥ．Ｆ２つのフィルタを切替えて交互に再生されるように構成されている。
即ち排ガスの粒子状物質は先ずフィルタＥで濾過、捕集する。すると該フィルタＥに粒子状物質が付着堆積して目詰りし、通気抵抗が大きくなると圧力センサが感知し、切替弁Ｇで新しいフィルタＦに切替えて濾過、捕集する。
フィルタＥはその間フィルタＥの入り口を切替弁Ｇで閉じ、フィルタＥに詰まって堆積した粒子状物質を逆洗及び／又は焼却することによって再生する。
これが交互に繰り返される。
【０００７】
これに対して、粒子状物質除去装置を１つのケースに３〜６本の小型のフィルタを並列に設置してフィルタユニットとなし、そして排ガスの上流側に回転する弁や遮蔽部材を設けて該フィルタユニットを切替え、夫々のフィルタユニットへの通電時間をずらして順次加熱をすることにより、再生時に必要な加熱エネルギーを減少させると共に再生時の燃焼制御を容易にし、然して運転中でもフィルタユニットの再生を可能とする、図５に示す特開平８−２６０９４５号、図６（イ）に示す特開２００１−１３２４３１号、図６（ロ）に示す特開平５−９８９３６号、及び特開平６−２６４７２２号、特開２００３−１７２１２５号が開示されている。
【０００８】
このうち特開平６−２６４７２２号は、排ガスがフィルタユニットへ至る流路の開閉をシリンダーで行なっているが、その他特開２００３−１７２１２５号は弁体をリンク機構で個別に駆動モーターによって開閉が行なわれ、又特開２００１−１３２４３１号、特開平８−２６０９４５号、特開平５−９８９３６号は回転可能な円盤に弁或いは遮蔽部材を設け、該円盤をステップモーター等で逐次回転せしめて、所定のフィルタユニットを排ガスの流路から遮蔽。即ち排ガスの流入を阻止しながら該フィルタユニットを通電過熱してヒータで粒子状物質（ＰＭ）を焼却、フィルタユニットを再生するものである。
【特許文献１】特開平０５−０９８９３６号公報
【特許文献２】特開平０６−２６４７２２号
【特許文献３】特開平０８−２６０９４５号
【特許文献４】特開２００１−１３２４３１号
【特許文献５】特開２００２−１７２１２５号
【特許文献６】特開２００２−０８９２３５号
【発明の開示】
【発明が解決しようとする課題】
【０００９】
図６（イ）に示す特開平２００１−１３２４３１号、又は（ロ）に示す特開平５−９８９３６号は、１つの（所定の）フィルタユニット２に対して排ガスの流入を阻止する遮蔽部材３２は、フィルタの表面上を円周方向に回転移動可能で、且つ遮蔽部材３２と一体に設けられているリングギアＫが、ボス部を介して支持軸１０に対して回転可能に配置されている。リングギアＫはかみ合っているウオームギアＨ、又はピニオンＰをモーターＭで駆動される。
即ちフィルタユニット２ａから隣接するフィルタユニット２ｂまでの遮蔽部材３２の移動量（１単位の移動量）は、モーターＭに設けられたセンサーが検出する回転数の積算値に基づき決定される。即ち該モーターＭは例えばマイクロコンピュータなどから構成されるコントロールユニットから出される信号により所定回転数駆動される。
【００１０】
図５に示す特開平０８−２６０９４５号の弁即ち遮蔽部材３２は常に１個の排ガス導入用の開口部３３を遮蔽してフィルタユニット２への排ガスの導入を遮断する位置に配設され、そしてこの遮蔽部材３２は区画板３１のほぼ１／４を覆う扇状で区画板３１の前面に摺接する状態に設けられている。
扇状の遮蔽部材３２が、区画板３１と回転摺接しながら排ガス導入用の開口部３３を遮蔽することは、排ガスの粒子状物質を焼却除去する（焼却温度６００℃以上が必要）ことからも、これら図５及び図６に示す従来の遮蔽部材を回転移動させる方式では、区画板３１、遮蔽部材３２、回転部材、及び摺接面に大きな熱歪みを生じて、回転不能、及び遮蔽不能などを生じるためにこれら、高温域且つ温度変化の著しい場所で、遮蔽部材３２を摺接回転させて開閉することは、当然遮蔽部材３２の安定した開閉操作機能に不安があるために常に故障を生じる問題がある。更に開口部３３などに堆積する粒子状物質（ＰＭ）が遮蔽部材３２の回転、遮蔽を妨げる問題がある。
図中Ａは捕集ユニット、Ｂは焼却再生ユニットである。
【００１１】
そしてこれら遮蔽部材、弁の移動量は、モーターに設けられたセンサーや、マイクロコンピュータなどのコントロールユニットから出される信号により所定回転数駆動されることで機能するため、部品点数が多く故障の原因となるばかりでなく、コストがかかる問題がある。
【００１２】
この発明は上記従来の問題点に鑑みなされたもので、その目的とするところは１つの切替弁で３個以上のフィルタユニットの切替、開閉を制御、１つのフィルタで排ガスの粒子状物質を濾過、捕集してフィルタに堆積せしめ、これを小さい容量の電気ヒーターで焼却、運転中でも連続して円滑（故障が無く、フィルタ切替時の通気抵抗の落差が少ない）に再生できる耐熱性に優れた回転式の排ガス粒子状物質除去装置の弁機構を提供することを目的としている。
【課題を解決するための手段】
【００１３】
上記目的を達成するためにこの発明の切替弁Ｇは、排ガスの流路を開閉する弁体１１が、軸芯１０に沿って回転可能な弁盤１３の少なくとも一カ所に設けられ、そして該弁盤１３の央部に設けられた鋸歯状カム１６の突起１７が、３個以上の通孔９を有する基板７上の央部に設けられている冠台型カム１５の凹２１凸２２に当接、旋回しながら軸方向にＲ量移動することで前記弁盤１３及び弁体１１を軸方向に移動せしめて基板７に設けられた分岐通路への通孔９が開閉せしめられる。
然して複数の独立したフィルタユニットの連続再生を、高温でも円滑に回転する１つの切替弁で確実に切替え、制御する目的が達成される。
【発明の効果】
【００１４】
（１）１つの切替弁で３個以上の開閉ができ、多数の管の分岐が集約されて全体が小型化できる。
（２）切替弁が央部のカムで開閉されることから多少の誤差が許容され、マイクロコンピュータなど複雑で高価なコントロールユニットは必要なく、その移動操作も最も簡単なリミット装置でよい。
（３）軸芯に近い央部に設けられたカムで移動するため、アクチュエーターの能力が小さくてすむ。
（４）軸芯に沿った央部に設けられたカムで作動するため、熱による歪みが生じても弁盤１３の回転移動が円滑である。
（５）この切替弁により、フィルタ全体の１／３〜のフィルタセクションを加熱処理する電力でフィルタ全体の粒子状物質（ＰＭ）が逐次焼却できる
（６）フィルタが目詰りしてから切替えるのではなく、小刻みに切替えていくので、圧力損失が小さくエンジンに負荷が掛からない。
（７）目詰りによる圧力損失が小さいので、フィルタの隙間をより微細なものが使用でき、粒子状物質除去効率が上がる。
（８）粒子状物質の体積量即ち目詰りに即時対応してフィルタユニットの移動速度及び又ヒーターの温度を変更でき極めて効率が良い。
（９）切替弁の弁座の表面が常に清掃されている。
【発明を実施するための最良の形態】
【００１５】
図１〜２に示すようにこの切替弁Ｇの弁体１１は、基板７の軸芯１０に沿って回転可能な弁盤１３の少なくとも一カ所に設けられ、そして該弁盤１３央部に設けられた下向きの鋸歯状カム１６の突起１７が、鋸歯状カム１６に対応して基板７の央部に上向きに設けられている冠台型カム１５に当接しながら回転移動する。
該突起１７が冠台型カム１５に摺接しながら冠台型カム１５の凹２１、凸２２に沿って図３に示すように軸方向にＲ量移動することで、前記弁盤１３及び弁体１１を軸方向にＲ量移動せしめ、基板７に設けられた分岐通路の通孔９を開閉せしめてユニット空間Ｄ（フィルタユニット２への排ガスの流路）を開閉せしめるように構成される。
即ち弁盤１３が円周方向に移動することによって、切替弁Ｇの弁体１１は基板７の通孔９に対して円周方向に移動すると同時に、弁体１１が軸方向にＲ量移動し、そして弁体１１で通孔９が閉塞される。
【００１６】
冠台型カム１５、鋸歯状カム１６には、図３（イ）、（ロ）の展開図に示す凹凸がフィルタユニット２及び通孔９と同数設けられている。そして通孔９を閉塞する際の凹２１は軸芯１０に対して垂直に、開放する際の凸２２への移動は勾配に沿って緩くなっている。
組み合わせられる冠台型カム１５と鋸歯状カム１６の突起１７が、基板７の央部即ち軸芯１０に接して設けられることでカムの接触回転に対する摩擦が小さくなる。そして軸芯１０に組合わせられた冠台型カム１５、鋸歯状カム１６が小さく且つ突起１７が冠台型カム１５の勾配に沿って当節しながら緩く旋回移動することによって開閉用アクチュエーターの能力が小さくて済む。
【００１７】
然してフィルタユニット１個の移動量は、上下に組合わせられたカム１５、１６の１ピッチであり、必要に応じて設けられるラチェット機構（図示しない）によって容易に且つ誤差なく割り出され進められる。
即ち複雑な機構や、高性能モーター、マイクロコンピュータコントロールユニットに依らなくても、この簡単なカム機構によって弁Ｇは正確且つ確実に所定量の回転移動をさせられる。
【００１８】
更に大切なことは、組合わせられたカム１５、１６が回転軸１０に接して小さく設けられているため、フィルタユニット再生のための加熱で、カム或いは回転部材に熱歪みが生じても影響が軽微となり弁盤１３の回転が妨げられる恐れが無い。
[実施例]
【００１９】
この発明の切替弁Ｇの特徴は、軸芯１０を中心に組合わせられた鋸歯状カム１６が冠台型カム１５に沿って回転しながら、軸方向に移動する弁盤１３の弁体１１が排ガスの通路である通孔９を開閉することであるが、回転移動する弁体１１の位置によって、捕集ユニットＡ、焼却再生ユニットＢを構成する。
即ち弁体１１のあるユニットが焼却再生ユニットＢであり、弁体１１の無い空枠１２の部分が捕集ユニットＡとなる。
弁盤１３の空枠１２は必要に応じて特開２００１−１３２４３１号に開示の円盤状であり、変化する開口部とすることができる。
【００２０】
実施例のフィルタユニット２は、排ガスの流路に於て、切替弁Ｇの基板７が十字状隔室板８によって４個の通孔９と共に４等分される。この等分に区画された十字状隔室板８の下端が、十字状断熱材３の端面から軸方向に合致して１つの流路、即ちフィルタユニット２の空間Ｄになるように構成されている。
然してフィルタ１の該フィルタユニット２は２−ａ、２−ｂ、２−ｃ、２−ｄの４つとも同一態様である。
実施例ではフィルタを４分割とし、便宜上十字状断熱材や十字状隔室板とした例を述べたが、これに限定せず３〜１２分割等自由に設定できる。またその分割態様も実施例のような扇形でなくても良い。例えば方形を組合わせても良い。
【００２１】
又この発明における切替弁の回転部（弁盤）と、これに接する部材（鋸歯状カム、基板）等は、焼却によって生じる熱の歪みから円滑な回転が阻害されるのを防ぐことからも、熱膨張係数の小さい素材で作成されることが好ましい。
【００２２】
弁盤１３を移動させるアクチュエーターは減速モーター、回転カム、ソレノイド、ロータリーソレノイド、シリンダー、バイメタルその他機械的に連続して或いは電気的間欠的に駆動させることができる。
フィルタの前、或いは後に、新規な又は従来公知の粒子状物質除去装置、触媒装置等と組合わせることができる。
実施例ではディーゼルエンジンを搭載した排ガスの粒子状物質除去装置について述べたがこれに限定されず、大型、小型のディーゼルエンジンを使用した陸用機関、舶用機関、コーゼネレーション、その他粒子状物質を含む排ガスの処理に限定せず、広く他の管路の分岐回路として利用できることは言うまでもない。
【００２３】
以下実施例によってこの発明の詳細を説明するが、同一部材、同一の用途についてはその説明を省略する。
【実施例１】
【００２４】
この実施例は、図１（ハ）に示すように粒子状物質除去装置のフィルタ１を４等分に分割して２−ａ、２−ｂ、２−ｃ、２−ｄとし、夫々のフィルタの間には十字状断熱材３を挟み、且つ筒状断熱材４を挟んで篋体５に収められる。該篋体５は外筒６の中に着脱可能に収容される。
そして図１（ロ）に示す切替弁Ｇの基板７には前記十字状断熱材３と合致する十字状隔室板８と、排ガスの通孔９が備えられている。
該基板７の央部には図１（イ）に示す軸芯１０と冠台型カム１５が設けられ、そして前記通孔９を封止する弾性体１４、弁体１１と空枠１２を備えた弁盤１３が回転可能に設けられている。基板７にはケース１８がある。
【００２５】
然して、図２に示すように弁盤１３の央部には、その一部に突起１７がある鋸歯状カム１６が設けられ、基板７の軸芯１０に対し回転可能に設置されている。
該基板７の央部軸芯１０に沿って設けられた冠台型カム１５には、図３の展開図に示すように４等分された位置に凹２１、凸２２が設けられ、前記弁盤１３に設けられている鋸歯状カム１６の突起１７がこの凹２１、２２と対応して摺接移動するようになっている。
そして該弁盤１３は、夫々４個の通孔９と合致する弁体１１が１個と、１個の空枠１２から成っている。
即ち弁盤１３は、弁盤１３と接合しているギヤ２０を、駆動ギヤ２３の駆動軸２４からモーターなどのアクチュエーター（図示しない）で回転されると、弁盤１３の鋸歯状カム１６の突起１７は、冠台型カム１５の凹２１、凸２２に摺接しながら回転し、軸芯１０のバネ１９に抗して軸方向に移動する。そして冠台型カム１５の凹２１に突起１７が嵌まると、弁体１１が通孔９を押え、このユニットＢの排ガスの流路を閉塞する。そして弁体１１に閉塞されたユニットＢにおいてフィルタの再生が可能となる。即ち図２に示すように、弁盤１３の鋸歯状カム１６の突起１７が冠台型カム１５の凹２１の位置になったとき、弁体１１は通孔９を閉塞し、その域の粒子状物質を焼却する加熱手段である電熱ヒーター３０が通電加熱され、ユニットＢ（加熱焼却セクション）となってフィルタを再生する。尚、他の３個の空枠１２はユニットＡ（捕集セクション）である。１４は弁体１１が通孔９を閉塞するときの誤差を吸収する弾性体である。
【００２６】
該電熱ヒーター３０は図２に示すようにフィルタユニットの端面開口部２ｓに近い位置に設けられることが望ましい。ヒーター３０を収めた耐熱板２７は穴２８が多数穿けられて通孔９からの排ガスが抵抗なくヒーター３０を通過し、しかも耐熱板２７の穴２８は整流板方式（板に大小や角度を付けた穴を多数開けて気流を分散させる）になっているため排ガスが集中せず分散してフィルタの端面開口部に届くようになっている。
【００２７】
或いは電気発熱体であるメタルハニカム体をヒーター３０として用いても良い。
【００２８】
焼却に要する空気は通気弁２６から導入される。即ち弁体１１が基板７の凹２１に嵌まって通孔９を閉塞するとき、同時にその位置にある通気弁２６が押されて開放され、外から必要量の空気が導入される。
外からの空気の導入は、ユニットＢ（焼却再生）を通過した排ガスが下流側の隔室板８’を備えた蓋２５に設けられた（特開昭５９−１０１５２１の）エゼクター（図示しない）で吸引してもよい。
２６’は通気弁２６が閉じた状態を示している。
【００２９】
或いは燃焼用空気の導入は、夫々のユニット空間Ｄに設けられた通気弁２６を１つの管（図示しない）で継ぎ、これにコンプレッサー（図示しない）から必要時に一定の圧力を掛けて押し込んでもよい。
【００３０】
フィルタユニットＡ（捕集）で濾過された排ガスは、下流にある隔室板８’を備えた蓋２５を経て大気中に排出される。
【００３１】
弁盤１３の弁体１１以外は全て空枠１２となっており、この場合３個の空枠１２と対応するフィルタユニットＡが排ガスを濾過する。
【００３２】
上記弁盤１３の一部には必要に応じて掃除ブラシ２９が備えられ、弁盤１３と共に回転して通孔９の表面から粒子状物質（ＰＭ）を払い落とす。
落とされた炭素のダストは別途集められるかヒーター３０で焼却される。
【００３３】
尚、蓋２５、隔室板８’を外して外筒６から篋体５を抜き取り、上下を差し替えて使用すると、フィルタ１の上下が逆になり、フィルタ１を逆洗することができる。
【実施例２】
【００３４】
この実施例は図４に示す。実施例１では１つのフィルタを４個のフィルタに均等に分割し、夫々の間に十字状断熱材３を挟んで束ねているが、この例では先ずステンレス板で十字状の仕切り部材３４を設けこれに十字状断熱材３を挟んで束ねている。
【図面の簡単な説明】
【００３５】
【図１】図１はこの発明の一実施例を示す一部を裁除した説明図である。    （イ）は弁盤、（ロ）は基板、（ハ）はフィルタユニットの態様を示す。
【図２】図２は図１のＡ−Ａ線縦断説明図に、ヒーター、耐熱板、通気弁、駆動軸等を記入したものである。
【図３】図３は鋸歯状カム、冠台型カムの（イ）は噛み合った状態、（ロ）は離れた状態を展開して示す説明図である。
【図４】図４は第２実施例の説明図である。
【図５】図５（イ）は従来例を示す説明図である。（ロ）は図５（イ）のＡ−Ａ線縦断面説明図である。
【図６】図６（イ）、（ロ）は従来例を示す説明図である。
【図７】図７は従来の２基のフィルタを使用した説明図である。
【図８】図８はウォールフローハニカムフィルタの説明図である。
【符号の説明】
【００３６】
１．  フィルタ                      Ａ．  捕集フィルタユニット
２．  フィルタユニット              Ｂ．  焼却フィルタユニット
（２ａ、２ｂ、２ｃ、２ｄ）
２ｃ  フィルタの端面                Ｄ．  セクション空間
３．  十字状断熱材                  Ｅ．  フィルタ
４．  筒状断熱材                    Ｆ．  フィルタ
５．  篋体                          Ｇ．  切替弁
６．  外筒                          Ｍ．  モーター
７．  基板                          Ｒ．  カムの軸方向移動量
８．  隔室板                       ８’．  隔室板（下流）
９．  通孔
１０．  軸芯
１１．  弁体
１２．  空枠
１３．  弁盤
１４．  弾性体
１５．  冠台型カム
１６．  鋸歯状カム
１７．  突起
１８．  ケース
１９．  バネ
２０．  ギヤ
２１．  凹
２２．  凸
２３．  駆動ギヤ
２４．  駆動軸
２５．  蓋
２６．  通気弁                     ２６’．  閉じた通気弁
２７．  耐熱板
２８．  穴
２９．  掃除ブラシ
３０．  ヒーター
３１．  区画板
３２．  遮蔽部材
３３．  排ガス導入開口部
３４．  仕切り部材
【図１】
2004270690.tif 000003
【図２】
2004270690.tif 000004
【図３】
2004270690.tif 000005
【図４】
2004270690.tif 000006
【図５】
2004270690.tif 000007
【図６】
2004270690.tif 000008
【図７】
2004270690.tif 000009
【図８】
2004270690.tif 000010